(57)【要約】【課題】先端チップ１と入力ペンを把持する使用者の手が電気的に導通可能に構成できるとともに、先端チップ１を固定部材２に確実に取り付けられる入力ペンに使用できる。【解決手段】操作領域を入力ペンや指によって操作し、操作領域の操作部分の位置を静電容量変化に伴う電気量変化によって検出し、操作部分の位置を入力する入力装置に用いる入力ペン。この入力ペンの先端チップ１を導電性ゴムで構成し、その筒部に凹部１Ａを構成する。この先端チップ１を固定部材２に挿入し、かつ、固定部材２に形成した内方突部２Ｃを先端チップ１の凹部１Ａに係合させて固定部材２に先端チップ１を取り付ける。更に、固定部材２を導電性を有する軸筒３の前部に設け、軸筒３を保持する手と先端チップ１を導通可能に構成する。【選択図】図１
2012128486.tif 000002
【特許請求の範囲】
【請求項１】
操作領域を入力ペンや指によって操作し、操作領域の操作部分の位置を静電容量変化に伴う電気量変化によって検出し、操作部分の位置を入力する入力装置に用いる入力ペンにおいて、導電性ゴムで構成した先端チップの筒部に凹部を構成し、この先端チップを固定部材に挿入し、かつ、固定部材に形成した内方突部を先端チップの凹部に係合させて固定部材に先端チップを取り付け、更に、固定部材を導電性を有する軸筒の前部に設け、軸筒を保持する手と先端チップを導通可能に構成したことを特徴とする入力ペン。
【発明の詳細な説明】
【技術分野】
【０００１】
本発明は、操作領域を入力ペンの先端チップで軽くなぞることにより、静電容量変化に伴う電気量変化によって位置を検出し、スムースなカーソル移動ができる入力装置に用いる入力ペンに関するものである。
【背景技術】
【０００２】
従来、導電性ゴムで構成された先端チップを前部に設けた入力ペンが知られている。（特許文献１参照）
【０００３】
しかしながら、上記入力ペンは、軸筒に先端チップを取り付けたり、先端チップを取り付けた芯部材を軸筒に取り付けて構成していたため、先端チップが外れる恐れがあるといった課題があった。
【先行技術文献】
【特許文献】
【０００４】
【特許文献１】特許第４１４２７７６号公報
【発明の概要】
【発明が解決しようとする課題】
【０００５】
解決しようとする問題点は、弾性を有する先端チップを芯部材や軸筒に圧入固着して取り付けると、先端チップが外れ易いという点である。
【課題を解決するための手段】
【０００６】
本発明は、操作領域を入力ペンや指によって操作し、操作領域の操作部分の位置を静電容量変化に伴う電気量変化によって検出し、操作部分の位置を入力する入力装置に用いる入力ペンにおいて、導電性ゴムで構成した先端チップの筒部に凹部を構成し、この先端チップを固定部材に挿入し、かつ、固定部材に形成した内方突部を先端チップの凹部に係合させて固定部材に先端チップを取り付け、更に、固定部材を導電性を有する軸筒の前部に設け、軸筒を保持する手と先端チップを導通可能に構成したことを最も主要な特徴とする。
【発明の効果】
【０００７】
本発明は、先端チップが固定部材に確実に取り付けられ外れる恐れがないという利点が得られるものである。
【図面の簡単な説明】
【０００８】
【図１】図１は、本発明の実施例１の入力ペンを示す断面図である。（実施例１）
【図２】図２は、図１の入力ペンの先端チップと固定部材を示す断面図である。（実施例１）
【図３】図３は、本発明の実施例２の入力ペンの先端チップと固定部材を示す断面図である。（実施例２）
【図４】図４は、本発明の実施例３の入力ペンを示す断面図である。（実施例３）
【図５】図５は、図４の入力ペンの先端チップと固定部材および先金を示す断面図である。（実施例３）
【図６】図６は、本発明の実施例４の先端チップと固定部材および先金を示す断面図である。（実施例４）
【図７】図７は、本発明の実施例５の入力ペンを示す主要部断面図である。（実施例５）
【図８】図８は、本発明の実施例６の入力ペンを示す主要部断面図である。（実施例６）
【図９】図９は、本発明の実施例７の入力ペンを示す断面図である。（実施例７）
【発明を実施するための形態】
【０００９】
先端チップから軸筒を保持する手に電気的に導通可能に構成でき、かつ、先端チップを確実に固定部材に取り付けることができる入力ペンに用いることができる。
【実施例１】
【００１０】
以下、図１及び図２に基づいて本発明における実施例１の入力ペンを説明する。また、図１の左側を前方とし、右側を後方とする。導電性ゴムで構成された先端チップ１の先端を半円状に形成し、かつ、先端チップ１の円柱部に円周状の凹部１Ａを形成する。この先端チップ１に潤滑性コーティング剤を塗布し、先端チップ１の滑りを良くする。潤滑性コーティング剤としては、アクロス株式会社の商品名（αコート）のゴム用グレードを使用し、スプレー、タンブリング、ディッピング、ディップスピン等により膜厚１５μｍに塗布し、その後加熱硬化させる。また、固定部材２は導電性を有する金属で構成され、前部に外鍔２Ａを形成するとともに筒部後端に内鍔２Ｂを形成する。この固定部材２に前記先端チップ１を前方より挿入し、筒部を外方からカシメ加工を行って内方突部２Ｃを形成する。この内方突部２Ｃを先端チップ１の凹部１Ａに係合させ、図２に示したように先端チップ１を確実に固定するとともに、先端チップ１の先端を固定部材２より突出する。前記固定部材２を、ステンレス等の導電性を有する金属で構成された軸筒３の前部に圧入固着する。この軸筒３の後部にクリップ４を取り付けるとともに、軸筒３の後端に尾栓５を固着し、入力ペンを構成する。
【００１１】
前記入力ペンの軸筒３を手で保持すれば、固定部材２を介して手と先端チップ１が電気的に導通する。したがって、先端チップ１が入力ペンの軸筒３を把持する使用者の手と同電位に維持される。
【００１２】
この入力ペンの先端チップ１を入力装置の操作領域に軽く押圧すれば、先端チップ１の先端が変形して所定の接触面積が得られ、操作部分と使用者の手との間には、接触面積に依存した静電容量が形成される。この静電容量の変化に伴う電気量変化によって位置を検出し、先端チップ１が接触した位置を入力する。
【実施例２】
【００１３】
以下、図３に基づいて本発明における実施例２の入力ペンの先端チップ１と固定部材１２を説明する。尚、図１と同一部材は同一の符号を付してその説明を省略する。固定部材１２の内方突部１２Ｃを前端が傾斜面で後端が垂直面に形成する。この固定部材１２に先端チップ１を前方から挿入し、固定部材１２の内方突部１２Ｃに先端チップ１の凹部１Ａを係合し、先端チップ１を固定部材１２に確実に固定するとともに、先端チップ１の先端を固定部材１２より突出する。
【実施例３】
【００１４】
以下、図４および図５に基づいて本発明における実施例３の入力ペンを説明する。尚、図１と同一部材は同一の符号を付してその説明は省略する。固定部材２２は導電性を有する金属で構成され、前部２２Ｄを筒状に形成するとともに、後部に外鍔２２Ｅと内鍔２２Ｂを形成する。この固定部材２２に先端チップ１１を前方より挿入し、前部２２Ｄを外方からカシメ加工を行って内方突部２２Ｃを形成する。この内方突部２２Ｃを先端チップ１１の凹部１１Ａに係合させ、先端チップ１１を固定部材２２に確実に固定する。前記先端チップ１１には潤滑性コーティング剤を塗布し、先端チップ１１の滑りを良くする。潤滑性コーティング剤としては、アクロス株式会社の商品名（αコート）のゴム用グレードを使用し、スプレー、タンブリング、ディッピング、ディップスピン等により膜厚１５μｍに塗布し、その後加熱硬化させる。更に、導電性を有する先金６の後方から前記固定部材２２を挿入して、先金６の内面に固定部材２２の外鍔２２Ｅを圧入固着して取り付け、図５に示したように先端チップ１１の先端を先金６より適宜突出して構成する。軸筒は、非導電性の合成樹脂で構成された後軸７と、後軸７の把持部に被せられた導電性ゴムで形成されたゴムグリップ８で構成する。この後軸７の後部に尾栓１５を圧入固着するとともに、後軸７の前部に先金６を着脱可能に螺合し、先金６の後端をゴムグリップ８の前端に接触させて入力ペンを構成する。
【００１５】
前記入力ペンの軸筒を構成するゴムグリップ８を手で保持すれば、固定部材２２および先金６を介して手と先端チップ１１が電気的に導通する。したがって、先端チップ１１が入力ペンの軸筒を把持する使用者の手と同電位に維持される。
【００１６】
この入力ペンの先端チップ１１を入力装置の操作領域に軽く押圧すれば、先端チップ１１の先端が変形して所定の接触面積が得られ、操作部分と使用者の手との間には、接触面積に依存した静電容量が形成される。この静電容量の変化に伴う電気量変化によって位置を検出し、先端チップ１１が接触した位置を入力する。
【実施例４】
【００１７】
以下、図６に基づいて本発明における実施例４の入力ペンの先端チップ１１、固定部材３２および先金６を説明する。尚、図４と同一部材は同一の符号を付してその説明を省略する。固定部材３２の内方突部３２Ｃを前端が傾斜面で後端が垂直面に形成する。この固定部材３２に先端チップ１１を前方から挿入し、固定部材３２の内方突部３２Ｃに先端チップ１１の凹部１１Ａを係合し、先端チップ１１を固定部材３２に確実に固定する。更に、先金６の後方から前記固定部材３２を挿入して、先金６の内面に固定部材３２の外鍔３２Ｅを圧入固着して取り付け、図６に示したように先端チップ１１の先端を先金６より適宜突出して構成する。
【実施例５】
【００１８】
以下、図７に基づいて本発明における実施例５の入力ペンを説明する。導電性ゴムで構成された先端チップ２１の先端を半円状に形成し、かつ、先端チップ２１を後端が開口した中空に構成する。この先端チップ２１の筒部に円周状の凹部２１Ａを形成する。更に、前記先端チップ２１に潤滑性コーティング剤を塗布し、先端チップ１１の滑りを良くする。潤滑性コーティング剤としては、アクロス株式会社の商品名（αコート）のゴム用グレードを使用し、スプレー、タンブリング、ディッピング、ディップスピン等により膜厚１５μｍに塗布し、その後加熱硬化させる。また、固定部材４２は導電性を有する金属で構成され、前部に外鍔４２Ａを形成する。この固定部材４２の内方突部４２Ｃを前端が傾斜面で後端が垂直面に形成する。前記固定部材４２に先端チップ２１を前方から挿入し、固定部材４２の内方突部４２Ｃに先端チップ２１の凹部２１Ａを係合する。次に、芯部材９の前筒部９Ａに前端が傾斜面で後端が垂直面に構成された外鍔９Ｂを前後に２つ形成し、かつ、芯部材９の後筒部９Ｃを前筒部９Ａより太径に構成する。この芯部材９の前筒部９Ａを前記先端チップ２１の後方より挿入し、固定部材４２の筒部に後筒部９Ｃを圧入固着する。前記固定部材４２をステンレス等の導電性を有する金属で構成された軸筒３の前部に圧入固着して入力ペンを構成する。
【００１９】
この実施例５の場合には、先端チップ２１が撓み易く、かつ、外れることなく確実に固定部材４２に先端チップ２１が取り付けられる。
【実施例６】
【００２０】
以下、図８に基づいて本発明における実施例６の入力ペンを説明する。尚、図７と同一部材は同一の符号を付してその説明を省略する。固定部材４２に先端チップ２１および芯部材９を取り付けた後に、先端チップ２１および芯部材９内に先端チップ２１より柔らかい充填材１０を挿入し構成する。
【００２１】
尚、充填材１０としては、常温でゲル状となるゲル状シリコンがクッション性に優れており、特に、東レ・ダウコーニング株式会社の商品名[シリコーン  ポッテング材  Ｓｙｌｇａｒｄ  ５２７]あるいは［シリコーンラバー  ＤＯＷ  ＣＯＲＮＩＮＧ  ＴＯＲＡＹ  ＳＨ  ９５５５  ＷＨＩＴＥ］が好ましい。
【実施例７】
【００２２】
以下、図９に基づいて本発明における実施例７の入力ペンを説明する。尚、図１と同一部材は同一の符号を付してその説明を省略する。軸筒３の後端に尾栓１５を固着し、この尾栓１５にボールペンレフィール１６を着脱可能に装着する。このボールペンレフィール１６の筆記部１６Ａは尾栓１５の後端より適宜突出するとともに、ボールペンレフィール１６にキャップ１７を着脱可能に嵌合して筆記部１６Ａを覆い入力ペンを構成する。
【００２３】
前記入力ペンは、入力操作中に反転すれば紙にメモ等の筆記を行うことができる。
【００２４】
尚、本発明は上記実施例に限定されるものではなく、軸筒は複数の部材を螺合、圧入固着あるいは接着して一体化し構成することも可能である。また、導電性ゴムは、天然ゴム、ニトリルゴム、シリコンゴム等の中にカーボンブラックあるいは金属等の導電剤を大量に入れて構成するが、比較的柔らかい導電性ゴムを用いることが好ましい。更に、先端チップに潤滑性コーティング剤を塗布すれば滑りが良くなるが、潤滑性コーティング剤を塗布しなくても十分に先端チップによる入力を行うことができる。
【産業上の利用可能性】
【００２５】
先端チップと入力ペンを把持する使用者の手が同電位に維持されるとともに、先端チップを固定部材に確実に取り付けられる入力ペンに適用できる。
【符号の説明】
【００２６】
１    先端チップ
１Ａ    先端チップ１の凹部
２    固定部材
２Ｃ    固定部材２の内方突部
３    軸筒
１１    先端チップ
１１Ａ    先端チップ１１の凹部
１２    固定部材
１２Ｃ    固定部材１２の内方突部
２１    先端チップ
２１Ａ    先端チップ２１の凹部
２２    固定部材
２２Ｃ    固定部材２２の内方突部
３２    固定部材
３２Ｃ    固定部材３２の内方突部
４２    固定部材
４２Ｃ    固定部材４２の内方突部
【図１】
2012128486.tif 000003
【図２】
2012128486.tif 000004
【図３】
2012128486.tif 000005
【図４】
2012128486.tif 000006
【図５】
2012128486.tif 000007
【図６】
2012128486.tif 000008
【図７】
2012128486.tif 000009
【図８】
2012128486.tif 000010
【図９】
2012128486.tif 000011